(57)【要約】      （修正有）【課題】鼾止め及び按摩効果を有する鼾止め用按摩枕を提供する。【解決手段】中空を呈する本体１０と、本体の一側面に設けられる制御パネル５１を有し、電源供給ユニット５３と電気的に連接し、制御パネルにスイッチが設けられる制御ユニット５０と、本体に設けられる少なくとも一つのエアバッグ２０と、本体の内部に設けられ、制御ユニット５０と電気的に連接する音源検知ユニット６０とを設ける。さらに、本体の内部に設けられ、制御ユニットと電気的に連接し、エアバッグと連接し、音源検知ユニットが鼾を検知したときに、制御ユニットに駆動されてエアを各エアバッグに入れるエア入れユニット４０と、本体の内部に設けられ、その数量がエアバッグの数量と対応し、各エアバッグとエア入れユニットとの間に設けられ、制御ユニットのエア入れユニットに対する駆動を停止するときに、エアバッグ内のエアを排出する少なくとも一つのエア排出ユニット３０と、を含む。【選択図】図２
0003164421.tif 000002
【実用新案登録請求の範囲】
【請求項１】
中空を呈する本体と、
前記本体の一側面に設けられる制御パネルを有し、電源供給ユニットと電気的に連接し、前記制御パネルにスイッチが設けられる制御ユニットと、
前記本体に設けられるエアバッグと、
前記本体の内部に設けられ、前記制御ユニットと電気的に連接する音源検知ユニットと、
前記本体の内部に設けられ、前記制御ユニットと電気的に連接し、前記エアバッグと連接し、前記音源検知ユニットが鼾を検知したときに、前記制御ユニットに駆動されてエアを前記エアバッグに入れるエア入れユニットと、
前記本体の内部に設けられ、その数量が前記エアバッグの数量と対応し、前記エアバッグと前記エア入れユニットとの間に設けられ、前記制御ユニットの前記エア入れユニットに対する駆動を停止するときに、前記エアバッグ内のエアを排出する少なくとも一つのエア排出ユニットと、
を含むことを特徴とする鼾止め用按摩枕。
【請求項２】
前記エアバッグは前記本体の内部に設けられることを特徴とする、請求項１に記載の鼾止め用按摩枕。
【請求項３】
前記本体は使用面を有し、前記エアバッグは、人体の頭部、ネック部、ネック下部および肩部に応じて、前記使用面に、二つの頭部エアバッグ、一つのネック部エアバッグ、一つのネック下部エアバッグ及び二つの肩部エアバッグがそれぞれ設けられ、前記各エアバッグと前記エア入れユニットとの間にエア排出ユニットが設けられることを特徴とする、請求項１に記載の鼾止め用按摩枕。
【請求項４】
前記制御パネルには、各部位に設けられる前記エアバッグに対応する表示ランプがそれぞれ設けられ、前記各表示ランプにより各部位に設けられる前記エアバッグの動作の有無を識別できることを特徴とする、請求項１に記載の鼾止め用按摩枕。
【請求項５】
前記制御ユニットはリモートコントローラを有し、前記リモートコントローラは、前記エアバッグにそれぞれ対応する制御ボタンと、発射子と、を有し、前記制御パネルは、前記リモートコントローラの前記発射子からの信号を接収する接収子を有することを特徴とする、請求項１に記載の鼾止め用按摩枕。
【請求項６】
前記制御パネルに音声接収穴が複数設けられ、前記音声接収穴により前記音源検知ユニットは鼾を検知できることを特徴とする、請求項１に記載の鼾止め用按摩枕。
【請求項７】
前記エア入れユニットはエアポンプであることを特徴とする、請求項１に記載の鼾止め用按摩枕。
【請求項８】
前記エア排出ユニットは排気弁であることを特徴とする、請求項１に記載の鼾止め用按摩枕。
【考案の詳細な説明】
【技術分野】
【０００１】
本考案は、枕に関し、特に、鼾止め及び按摩効果を有する鼾止め用按摩枕に関するものである。
【背景技術】
【０００２】
厚すぎる枕を利用して寝ると、頚椎が前へ過度に屈折するため、ネック部の軟組織が過度に緊張して疲労し易い。人間の一日のうちの三分の一の時間は睡眠時間であるため、枕の厚さの適正は睡眠の品質および人体の健康に大きく影響することにより、人間工学に合う枕が開発された。このような枕は、柔軟な材料により作製されたものが多いため、枕にユーザのヘッドを当接すると、ユーザのヘッドの重さにより枕が窪み、これにより、枕とユーザのヘッドとの接触面積が大きくなり、ユーザのヘッドの重さが分散され、睡眠の快適感が向上する。しかし、このような枕によれば、ユーザの頭部を一定の高さに保持することが困難であり、すなわち、ユーザのヘッドの重さがより重い場合には、枕が過度に窪んで、ユーザの頭部が低すぎになり、ユーザは鼾をかきやすい問題があった。上記の問題を解決するために、硬度のより高い枕が利用されるが、このような枕によれば、枕とユーザのヘッドとの接触面積が減少し、ユーザのヘッドの重さを分散することができず、睡眠の快適感を向上することができない。
【考案の概要】
【考案が解決しようとする課題】
【０００３】
本考案の主な目的は、ユーザが鼾をかいているときに、音源検知ユニットが鼾を検知して、制御ユニットがエア入れユニットを駆動してエアバッグにエアを入れて、一定時間を経過するときに、制御ユニットのエア入れユニットに対する駆動を停止して、排気ユニットによりエアバッグ内にあるエアを排出することにより、ユーザの頭部の姿勢および位置を変化して鼾を中断することができ、且つエアバッグを膨張しているときにユーザの頭部が按摩される鼾止め用按摩枕を提供することにある。
【０００４】
本考案の次の目的は、ユーザの頭部、ネック部、ネック下部および肩部に対応するエアバッグのエア入れ・排気を制御する各制御ボタンを押圧して、按摩したい部位に対応するエアバッグにエアを間欠に入れて排気することにより、按摩したい部位を按摩することができる鼾止め用按摩枕を提供することにある。
【課題を解決するための手段】
【０００５】
本考案の鼾止め用按摩枕によると、中空を呈する本体と、
前記本体の一側面に設けられる制御パネルを有し、電源供給ユニットと電気的に連接し、前記制御パネルにスイッチが設けられる制御ユニットと、
前記本体に設けられる少なくとも一つのエアバッグと、
前記本体の内部に設けられ、前記制御ユニットと電気的に連接する音源検知ユニットと、
前記本体の内部に設けられ、前記制御ユニットと電気的に連接し、前記エアバッグと連接し、前記音源検知ユニットが鼾を検知したときに、前記制御ユニットに駆動されてエアを前記各エアバッグに入れるエア入れユニットと、
前記本体の内部に設けられ、その数量が前記エアバッグの数量と対応し、前記各エアバッグと前記エア入れユニットとの間に設けられ、前記制御ユニットの前記エア入れユニットに対する駆動を停止するときに、前記エアバッグ内のエアを排出する少なくとも一つのエア排出ユニットと、
を含む。
【０００６】
本考案の鼾止め用按摩枕によると、前記エアバッグは前記本体の内部に設けられることを特徴とする。
【０００７】
本考案の鼾止め用按摩枕によると、前記本体は使用面を有し、前記エアバッグは、人体の頭部、ネック部、ネック下部および肩部に応じて、前記使用面に、二つの頭部エアバッグ、一つのネック部エアバッグ、一つのネック下部エアバッグ及び二つの肩部エアバッグがそれぞれ設けられ、前記各エアバッグと前記エア入れユニットとの間にエア排出ユニットが設けられることを特徴とする。
【０００８】
本考案の鼾止め用按摩枕によると、前記制御パネルには、各部位に設けられる前記エアバッグに対応する表示ランプがそれぞれ設けられ、前記各表示ランプにより各部位に設けられる前記エアバッグの動作の有無を識別できることを特徴とする。
【０００９】
本考案の鼾止め用按摩枕によると、前記制御ユニットはリモートコントローラを有し、前記リモートコントローラは、前記各エアバッグにそれぞれ対応する制御ボタンと、発射子と、を有し、前記制御パネルは、前記リモートコントローラの前記発射子からの信号を接収する接収子を有することを特徴とする。
【００１０】
本考案の鼾止め用按摩枕によると、前記制御パネルに音声接収穴が複数設けられ、前記音声接収穴により前記音源検知ユニットは鼾を検知できることを特徴とする。
【００１１】
本考案の鼾止め用按摩枕によると、前記エア入れユニットはエアポンプであることを特徴とする。
【００１２】
本考案の鼾止め用按摩枕によると、前記エア排出ユニットは排気弁であることを特徴とする。
【考案の効果】
【００１３】
本考案の鼾止め用按摩枕によれば、次のような効果がある。
（１）ユーザが鼾をかいているときに、音源検知ユニットが鼾を検知して、制御ユニットがエア入れユニットを駆動してエアバッグにエアを入れて、一定時間を経過するときに、制御ユニットのエア入れユニットに対する駆動を停止して、排気ユニットによりエアバッグ内にあるエアを排出することにより、ユーザの頭部の姿勢および位置を変化して鼾を中断することができ、且つエアバッグを膨張しているときにユーザの頭部が按摩される。
【００１４】
（２）ユーザの頭部、ネック部、ネック下部および肩部に対応するエアバッグのエア入れ・排気を制御する各制御ボタンを押圧して、按摩したい部位に対応するエアバッグにエアを間欠に入れて排気することにより、按摩したい部位を按摩することができる。
【図面の簡単な説明】
【００１５】
【図１】本考案の第１実施例の構造を示す斜視図である。
【図２】本考案の第１実施例の装置のアーキテクチャを示す模式図である。
【図３】本考案の第１実施例の使用状態を示す模式図である。
【図４】本考案の第２実施例の構造を示す斜視図である。
【図５】本考案の第２実施例の装置のアーキテクチャを示す模式図である。
【図６】本考案の第２実施例の使用状態を示す模式図である。
【考案を実施するための最良の形態】
【００１６】
以下、本考案の実施の形態を図面に基づいて説明する。
（第１実施例）
まず、図１乃至図３を参照する。本考案の第１実施例の鼾止め用按摩枕は、本体１０と、本体１０に設けられる制御ユニット５０と、を含む。制御ユニット５０には、音源検知ユニットと、エア入れユニット４０と、が電気的に連接される。エア入れユニット４０に少なくとも一つのエアバッグ２０が設けられる。各エアバッグ２０とエア入れユニット４０との間に排気ユニット３０が設けられる。
【００１７】
本体１０は、軟性材料で作製されたものであり、中空を呈し、底面１０１と、底面１０１に対して傾斜する使用面１０２と、を有する。本体１０の底面１０１と使用面１０２との距離がより小さい端は肩置き端１０３と定義し、本体１０の底面１０１と使用面１０２との距離がより大きい端は頭置き端１０４と定義する。肩置き端１０３に人体Ａの肩部を置くことができ、頭置き端１０４に人体Ａの頭部を置くことができる。
【００１８】
制御ユニット５０は、制御パネル５１と、リモートコントローラ５２と、電源供給ユニット５３と、を有する。リモートコントローラ５２は、各エアバッグ２０にそれぞれ対応する制御ボタン５２１と、発射子５２２と、を有し、按摩したい部位に対応する制御ボタン５２１を押圧すると、按摩したい部位を按摩できる。制御パネル５１は、本体１０の一側面に設けられ、電源供給ユニット５３と電気的に連接する。制御パネル５１には、電源供給ユニット５３からの電力の接収状態を制御するスイッチ５１１と、各位置にあるエアバッグ２０の動作の有無を確認できる表示ランプ５１２と、リモートコントローラ５２からの信号を接収する接収子５１３と、が設けられる。
【００１９】
エアバッグ２０は、本体１０に設けられ、本実施例では、本体１０の使用面１０２に設けられ、本体１０の頭置き端１０４から肩置き端１０３へ、人体Ａの頭部、ネック部、ネック下部および肩部に応じて、使用面１０２に、二つの頭部エアバッグ２１、一つのネック部エアバッグ２２、一つのネック下部エアバッグ２３及び二つの肩部エアバッグ２４が順次に設けられる。
【００２０】
音源検知ユニット６０は、本体１０の内部に設けられ、制御ユニット５０と電気的に連接し、ユーザの鼾を検知するものである。
【００２１】
エア入れユニット４０は、本体１０の内部に設けられ、制御ユニット５０と電気的に連接し、頭部エアバッグ２１、ネック部エアバッグ２２、ネック下部エアバッグ２３及び肩部エアバッグ２４と連接する。音源検知ユニット６０が鼾を検知したときには、エア入れユニット４０が制御ユニット５０に駆動されてエアを各エアバッグ２０に入れる。本実施例では、エア入れユニット４０がエアポンプである。
【００２２】
エア排出ユニット３０は、本体１０の内部に設けられ、その数量がエアバッグ２０の数量と対応し、各エアバッグ２０とエア入れユニット４０との間に設けられ、制御ユニット５０のエア入れユニット４０に対する駆動を停止するときに、エアバッグ２０内のエアを排出する。本実施例では、エア排出ユニット３０が排気弁である。
【００２３】
次に、図１乃至図３を参照しながら本考案の鼾止め用按摩枕の操作方法を説明する。まず、スイッチ５１１をオンにして、本体１０の使用面１０２の頭部エアバッグ２１、ネック部エアバッグ２２、ネック下部エアバッグ２３及び肩部エアバッグ２４が設けられる箇所に人体Ａの当該部位を対応する。ユーザが鼾をかいているときには、音源検知ユニット６０が鼾を検知して、制御ユニット５０によりエア入れユニット４０が駆動されて、ネック部エアバッグ２２又はネック下部エアバッグ２３にエアを入れて、一定時間を経過したと、制御ユニット５０のエア入れユニット４０に対する駆動が停止して、エアバッグ２０内のエアが排気ユニット３０から排出される。そうすると、エアバッグ２０の膨張・収縮によりユーザの頭部の姿勢および位置を調整することができ、鼾を中断することができる。
【００２４】
一方、本考案の鼾止め用按摩枕によれば、ユーザを按摩することもできる。ユーザの頭部、ネック部、ネック下部および肩部に対応するエアバッグのエア入れ・排気を制御する各制御ボタンを押圧すると、按摩したい部位に対応するエアバッグ２０にエアを間欠に入れて排気することにより、按摩したい部位を按摩することができる。本考案の鼾止め用按摩枕は、エアバッグ２０にエアを入れることにより按摩を施すため、硬質なローラによる按摩に比べて、按摩の快適感が大幅に向上する。
【００２５】
なお、本考案の制御ユニット５０のリモートコントローラ５２に設けられる複数の制御ボタンは、それぞれ各エアバッグ２０に対応する。ユーザは、特定のエアバッグ２０を単独に動作することができ、複数のエアバッグ２０を同時に動作することもできる。制御パネル５１には、各部位に設けられるエアバッグ２０に対応する表示ランプ５１２がそれぞれ設けられ、各表示ランプ５１２により、制御パネル５１のリモートコントローラ５２からの信号の接収の有無と、選定された按摩部位と、を識別できる。
【００２６】
（第２実施例）
図４乃至図６を参照する。本考案の第２実施例の鼾止め用按摩枕は、本体１０と、本体１０に設けられる制御ユニット５０と、を含む。制御ユニット５０には、音源検知ユニットと、エア入れユニット４０と、が電気的に連接される。エア入れユニット４０にエアバッグ２０が設けられる。エアバッグ２０とエア入れユニット４０との間に排気ユニット３０が設けられる。
【００２７】
本実施例では、本体１０は、軟性材料で作製されたものであり、中空な立方体を呈する。制御ユニット５０は、制御パネル５１と、電源供給ユニット５３と、を有する。制御パネル５１は、本体１０の一側面に設けられ、音源検知ユニット６０と電気的に連接する。制御パネル５１には、電源供給ユニット５３からの電力の接収状態を制御するスイッチ５１１と、音源検知ユニット６０の鼾の検知を容易にする音声接収穴５１４と、が設けられる。エア入れユニット４０とエアバッグ２０とは本体１０の内部に設けられる。排気ユニット３０はエア入れユニット４０とエアバッグ２０との間に設けられる。本実施例の鼾止め用按摩枕によれば、エアバッグ２０が人体Ａのネック部に対応し、ユーザが鼾をかいているときには、音源検知ユニット６０が鼾を検知して、エアバッグ２０にエアを入れてエアバッグ２０を膨張することにより、ユーザの頭部の姿勢および位置を調整することができ、鼾を中断することができる。
【符号の説明】
【００２８】
１０：本体
２０：エアバッグ
２１：頭部エアバッグ
２２：ネック部エアバッグ
２３：ネック下部エアバッグ
２４：肩部エアバッグ
３０：エア排出ユニット
４０：エア入れユニット
５０：制御ユニット
５１：制御パネル
５２：リモートコントローラ
５３：電源供給ユニット
６０：音源検知ユニット
１０１：底面
１０２：使用面
１０３：頭置き端
１０４：肩置き端
５１１：スイッチ
５１２：表示ランプ
５１３：接収子
５１４：音声接収穴
５２１：制御ボタン
５２２：発射子
Ａ：人体
【図１】
0003164421.tif 000003
【図２】
0003164421.tif 000004
【図３】
0003164421.tif 000005
【図４】
0003164421.tif 000006
【図５】
0003164421.tif 000007
【図６】
0003164421.tif 000008